【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
電力を生成し該電力の一部分を配電網に提供する排気再循環（ＥＧＲ）ガスタービンシステムの燃焼器内で燃料及び酸化剤を燃焼させる段階と、
前記配電網に関連付けられた周波数超過事象に応答して該配電網に提供される前記電力の前記一部分を低減するために前記ＥＧＲガスタービンシステムの１又は２以上のパラメータを１又は２以上のプロセッサを通じて制御する段階と、を含み、
前記１又は２以上のパラメータを制御する段階が、前記周波数超過事象に応答して前記燃焼器への燃料の流量を低減する段階を有し、
前記周波数超過事象に応答して前記燃焼器内の酸化剤の濃度及び／又は流量を低減する段階を含み、前記ＥＧＲガスタービンシステムは、発電機に結合されたシャフトを含み、垂下調速機制御が、前記発電機を制御するために適用され、前記酸化剤の流量が、前記周波数超過事象に続いてより高い流量からより低い流量への空気ストローク基準（ＡＳＲ）によって低減される、
ことを特徴とする方法。
【請求項２】
前記燃料の流量を低減する前に量論的燃焼モードで前記ＥＧＲガスタービンシステムを作動させる段階を含み、
前記燃料の流量は、前記酸化剤の低減よりも急速に減少する、
請求項１に記載の方法。
【請求項３】
前記ＥＧＲガスタービンシステムのシャフトに対する速度／負荷誤差を導出する段階と、
クロスチャネル項を前記速度／負荷誤差に適用して前記燃料の流量を低減する段階と、を含む、
請求項１に記載の方法。
【請求項４】
前記クロスチャネル項を前記速度／負荷誤差に適用して燃料の前記流量を低減した後で不感帯／クランプを通じて前記クロスチャネル項をフィルタリングする段階を含む、
請求項３に記載の方法。
【請求項５】
前記クロスチャネル項は、一定値、スカラー値、伝達関数、又はその組合せを含む、
請求項３に記載の方法。
【請求項６】
当量比基準及び測定当量比に基づいて当量比誤差を導出する段階と、
前記ＥＧＲガスタービンシステムのシャフトに対する速度／負荷誤差を導出する段階と、
クロスチャネル項を前記速度／負荷誤差に適用してクロスチャネル結果を導出する段階と、
フィルタを前記クロスチャネル結果に適用してフィルタリングされたクロスチャネル結果を導出する段階と、
前記当量比誤差を前記フィルタリングされたクロスチャネル結果に対して比較して、前記燃焼器への燃料の前記流量を低減するために適用される燃料ストローク基準を導出する段階と、を含む、
請求項１に記載の方法。
【請求項７】
前記燃料の流量を低減するために当量比制御を適用する段階を含む、
請求項１に記載の方法。
【請求項８】
前記ＥＧＲガスタービンシステムは、超低エミッション技術（ＵＬＥＴ）発電プラントの一部である、
請求項１に記載の方法。
【請求項９】
排気再循環（ＥＧＲ）ガスタービンシステムを有するシステムであって、
燃料を受け入れて酸化剤と共に燃焼させるように構成された燃焼器と、
前記燃焼器からの燃焼生成物によって駆動されるタービンと、
前記タービンのシャフトを通じて駆動され、電力を発生させて該電力の一部分を配電網に移出するように構成された発電機と、
１又は２以上のプロセッサを有する制御システムと、を備え、
該制御システムが、
前記電力を制御するように構成された垂下調速機制御システムと、
前記ＥＧＲガスタービンシステムの１又は２以上のパラメータを制御して周波数超過事象に応答して前記配電網に移出される前記電力の一部分を低減するように構成され、前記ＥＧＲガスタービンシステムが量論的モードで作動しているときでも、前記周波数超過事象に応答して前記燃焼器への燃料の流量を低減するための制御信号を提供するように構成された当量比制御システムと、を有し
前記燃焼器の上流に配置され、かつ酸化剤流れと再循環排気ガス流れとを含む入口流れを受け入れるように構成された少なくとも１つの酸化剤圧縮機を含み、
前記当量比制御システムは、前記周波数超過事象に応答して前記再循環排気ガス流れを低減することによって前記再循環排気ガス流れに対する前記酸化剤流れの比を低減するための制御信号を制御弁に提供するように構成されている、
ことを特徴とするシステム。
【請求項１０】
前記当量比制御システムは、前記酸化剤の低減よりも急速に前記燃料の流量を低減するように構成されている、
請求項９に記載のシステム。
【請求項１１】
前記燃焼器の上流に配置された少なくとも１つの酸化剤圧縮機を含み、
前記当量比制御システムは、前記周波数超過事象に応答して前記少なくとも１つの酸化剤圧縮機の１又は２以上の性能パラメータを変調するための制御信号を前記少なくとも１つの酸化剤圧縮機に提供するように構成され、
前記少なくとも１つの酸化剤圧縮機の前記１又は２以上の性能パラメータは、入口ガイドベーン位置、可変固定子ベーン位置、速度、入口絞り弁位置、放出絞り弁位置、又は再利用弁位置を含む、
請求項９に記載のシステム。
【請求項１２】
前記制御システムは、
当量比基準と測定当量比とに基づいて当量比誤差を導出し、
前記タービンの前記シャフトに対する速度／負荷誤差を導出し、
クロスチャネル項を前記速度／負荷誤差に適用してクロスチャネル結果を導出し、
フィルタを前記クロスチャネル結果に適用してフィルタリングされたクロスチャネル結果を導出し、かつ
前記当量比誤差を前記フィルタリングされたクロスチャネル結果に対して比較して燃料ストローク基準を導出するように構成され、
前記当量比制御システムが、前記燃料ストローク基準を適用して前記燃焼器への燃料の流量を低減するための制御信号を提供するように構成されている、
請求項９に記載のシステム。
【請求項１３】
前記ＥＧＲガスタービンシステムは、超低エミッション技術（ＵＬＥＴ）発電プラントの一部である、
請求項９に記載のシステム。
【請求項１４】
１又は２以上のプロセッサによって実行可能な命令を格納する非一時的コンピュータ可読媒体であって、
前記命令は、
前記１又は２以上のプロセッサによって実行されたときに、前記１又は２以上のプロセッサに、周波数超過事象がＥＧＲガスタービンシステムに結合された配電網に発生していると決定させる命令と、
前記１又は２以上のプロセッサによって実行されたときに、該１又は２以上のプロセッサに、前記周波数超過事象に応答して前記ＥＧＲガスタービンシステムの燃焼器への燃料の流量を低減させる命令と、
前記１又は２以上のプロセッサによって実行されたときに、該１又は２以上のプロセッサに、前記燃焼器への燃料の前記流量の低減後に該燃焼器への酸化剤の流量を低減させる命令であって、前記ＥＧＲガスタービンシステムが、量論的燃焼モードで作動している前記低減させる命令と、を含み、
前記燃焼器への酸化剤の前記流量を低減する前記命令は、前記１又は２以上のプロセッサによって実行されたときに、該１又は２以上のプロセッサに、前記周波数超過事象に応答して、該燃焼器の上流に配置された少なくとも１つの酸化剤圧縮機の入口ガイドベーン位置、可変固定子ベーン位置、速度、入口絞り弁位置、放出絞り弁位置、又は再利用弁位置のうちの１又は２以上を変調させる命令を含む、
ことを特徴とする媒体。
【請求項１５】
前記１又は２以上のプロセッサによって実行されたときに、該１又は２以上のプロセッサに、
当量比基準と測定当量比とに基づいて当量比誤差を生成させ、
前記ＥＧＲガスタービンシステムのシャフトに対する速度／負荷誤差を生成させ、
クロスチャネル項を前記速度／負荷誤差に適用してクロスチャネル結果を生成させ、
フィルタを前記クロスチャネル結果に適用してフィルタリングされたクロスチャネル結果を生成させ、
前記当量比誤差を前記フィルタリングされたクロスチャネル結果に対して比較して、前記燃焼器への燃料の前記流量を低減するために適用される燃料ストローク基準を生成させる命令を記録した、
請求項１４に記載の媒体。